(57)【要約】      （修正有）【課題】プライバシーを保護しながら、陶板浴を簡易に利用できる陶板浴装置を提供する。【解決手段】陶板浴装置１は、内部空間１０ａを有するカプセル収容部１０と、内部空間に配置された寝台３０と、を備える。寝台は、台座３１と、台座上に配置された陶板パネル３５と、台座と陶板パネルとの間に配置された発熱部３３と、を有する。【選択図】図２
0003217506.tif 000002
【実用新案登録請求の範囲】
【請求項１】
内部空間を有するカプセル収容部と、
前記内部空間に配置された寝台と、を備え、
前記寝台は、台座と、前記台座上に配置された陶板パネルと、前記台座と前記陶板パネルとの間に配置された発熱部と、を有する、陶板浴装置。
【請求項２】
前記カプセル収容部を支持する支持台をさらに備え、
前記支持台は、前記カプセル収容部と接する側とは逆側に、緩衝材を有する、請求項１に記載の陶板浴装置。
【請求項３】
前記カプセル収容部は、両端が閉鎖された円筒形状である、請求項１または２に記載の陶板浴装置。
【請求項４】
前記カプセル収容部の少なくとも一部は、採光機能を有する、請求項１乃至３のいずれか一項に記載の陶板浴装置。
【請求項５】
前記カプセル収容部の外部に固定され、前記カプセル収容部の長手方向に延びる補強部材をさらに備える、請求項１乃至４のいずれか一項に記載の陶板浴装置。
【請求項６】
前記カプセル収容部は、開口を有する本体部と、前記開口を開閉する扉と、を有し、
前記扉は、前記カプセル収容部の長手方向に移動することで前記開口を開閉可能である、請求項１乃至５のいずれか一項に記載の陶板浴装置。
【請求項７】
前記カプセル収容部は、開口を有する本体部と、前記開口を開閉する扉と、を有し、
前記本体部の外部であって前記扉の周囲に固定された手すりをさらに備える、請求項１乃至６のいずれか一項に記載の陶板浴装置。
【請求項８】
前記開口の中心は、前記カプセル収容部の最上位置と、最上位置及び最下位置の中間位置との間に位置する、請求項６または７に記載の陶板浴装置。
【請求項９】
前記陶板パネルは、前記台座上から取り外し可能である、請求項１乃至８のいずれか一項に記載の陶板浴装置。
【請求項１０】
前記陶板パネルは、複数の陶板タイルと、隣り合う前記陶板パネルを接続する接続具と、を有し、
前記陶板パネルは、端面に凹部が形成され、
前記接続具は、隣り合う２つの前記陶板パネルの凹部に配置され、
前記陶板タイルは、前記陶板パネルから取り外し可能である、請求項１乃至９のいずれか一項に記載の陶板浴装置。
【請求項１１】
前記カプセル収容部の前記内部空間に取り外し可能に設けられた内装材をさらに備え、
前記内装材は、機能シートを含む、請求項１乃至１０のいずれか一項に記載の陶板浴装置。
【請求項１２】
前記カプセル収容部の前記内部空間に時間を報知する報知装置をさらに備える、請求項１乃至１１のいずれか一項に記載の陶板浴装置。
【請求項１３】
前記カプセル収容部の外部に設けられた警告報知部と、前記カプセル収容部の前記内部空間に設けられ、前記警告報知部を作動させる作動部と、を有する警告報知装置をさらに備える、請求項１乃至１２のいずれか一項に記載の陶板浴装置。
【考案の詳細な説明】
【技術分野】
【０００１】
本考案は、陶板浴装置に関する。
【背景技術】
【０００２】
健康促進のための１つの方法として、陶板浴が知られている。陶板浴とは、例えば室温約４０℃から４５℃、湿度約１０％から２０％の環境において、利用者が温められた陶板に接することをいう。典型的には、利用者は、陶板上に仰向けに横たわることで、陶板に接する。温められた陶板から発せられる遠赤外線によって、利用者の体温を上昇させることができる。体温上昇の結果、血行を良くして免疫力を上昇させる等によって、健康を促進することができると考えられている。また、陶板浴は、利用者がリラックスした状態で行うことが望ましいと考えられている。
【０００３】
陶板浴は、従来、施設等に設けられた陶板浴専用の部屋において行われる。陶板浴専用の部屋の床面等には、複数人分用の陶板タイルが配置されている。また、陶板浴専用の部屋では、室温や湿度を適宜に設定することができる。
【考案の概要】
【考案が解決しようとする課題】
【０００４】
健康の促進のために、陶板浴をより簡易に利用することが求められている。しかしながら、陶板浴を利用するためには、専用の部屋を設けることが必要と考えられていた。陶板浴のための専用の部屋を設けることは、コストがかかってしまう上、専用の部屋を設けるスペースを確保しなければならないため、簡易ではない。また、陶板浴のための専用の部屋を有する施設等では、室内に複数の利用者が出入りするため、プライバシーの点で問題があり、利用者がリラックスして陶板浴を利用することができない。
【０００５】
本考案は、このような点を考慮してなされたものであり、プライバシーを保護しながら、陶板浴を簡易に利用することができる陶板浴装置を提供することを目的とする。
【課題を解決するための手段】
【０００６】
本考案の陶板浴装置は、
内部空間を有するカプセル収容部と、
前記内部空間に配置された寝台と、を備え、
前記寝台は、台座と、前記台座上に配置された陶板パネルと、前記台座と前記陶板パネルとの間に配置された発熱部と、を有する。
【０００７】
本考案の陶板浴装置において、
前記カプセル収容部を支持する支持台をさらに備え、
前記支持台は、前記カプセル収容部と接する側とは逆側に、緩衝材を有してもよい。
【０００８】
本考案の陶板浴装置において、前記カプセル収容部は、両端が閉鎖された円筒形状であってもよい。
【０００９】
本考案の陶板浴装置において、前記カプセル収容部の少なくとも一部は、採光機能を有してもよい。
【００１０】
本考案の陶板浴装置において、前記カプセル収容部の外部に固定され、前記カプセル収容部の長手方向に延びる補強部材をさらに備えてもよい。
【００１１】
本考案の陶板浴装置において、
前記カプセル収容部は、開口を有する本体部と、前記開口を開閉する扉と、を有し、
前記扉は、前記カプセル収容部の長手方向に移動することで前記開口を開閉可能であってもよい。
【００１２】
本考案の陶板浴装置において、
前記カプセル収容部は、開口を有する本体部と、前記開口を開閉する扉と、を有し、
前記本体部の外部であって前記扉の周囲に固定された手すりをさらに備えてもよい。
【００１３】
本考案の陶板浴装置において、前記開口の中心は、前記カプセル収容部の最上位置と、最上位置及び最下位置の中間位置との間に位置してもよい。
【００１４】
本考案の陶板浴装置において、前記陶板パネルは、前記台座上から取り外し可能であってもよい。
【００１５】
本考案の陶板浴装置において、
前記陶板パネルは、複数の陶板タイルと、隣り合う前記陶板パネルを接続する接続具と、を有し、
前記陶板パネルは、端面に凹部が形成され、
前記接続具は、隣り合う２つの前記陶板パネルの凹部に配置され、
前記陶板タイルは、前記陶板パネルから取り外し可能であってもよい。
【００１６】
本考案の陶板浴装置において、
前記カプセル収容部の前記内部空間に取り外し可能に設けられた内装材をさらに備え、
前記内装材は、機能シートを含んでもよい。
【００１７】
本考案の陶板浴装置において、前記カプセル収容部の前記内部空間に時間を報知する報知装置をさらに備えてもよい。
【００１８】
本考案の陶板浴装置において、前記カプセル収容部の外部に設けられた警告報知部と、前記カプセル収容部の前記内部空間に設けられ、前記警告報知部を作動させる作動部と、を有する警告報知装置をさらに備えてもよい。
【考案の効果】
【００１９】
本考案によれば、プライバシーを保護しながら、陶板浴を簡易に利用することができる。
【図面の簡単な説明】
【００２０】
【図１】図１は、陶板浴装置の全体を表す斜視図である。
【図２】図２は、陶板浴装置の利用状態を示す図であって、カプセル収容部の長手方向に直交する方向から観察した陶板浴装置の内部を示す図である。
【図３】図３は、陶板浴装置の利用状態を示す図であって、カプセル収容部の長手方向に沿った方向から観察した陶板浴装置の内部を示す図である。
【図４】図４は、寝台を示す上面図である。
【図５】図５は、陶板パネルの接続状態を説明するための斜視図である。
【考案を実施するための形態】
【００２１】
以下、図面を参照して一実施の形態について説明する。なお、本件明細書に添付する図面においては、図示と理解のしやすさの便宜上、適宜縮尺および縦横の寸法比等を、実物のそれらから変更し誇張してある。
【００２２】
また、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２３】
図１に、本実施の形態の陶板浴装置１が示されている。図２は、後述する第１方向ｄ１に直交する方向から陶板浴装置１の内部を観察した図である。図３は、第１方向ｄ１に沿った方向から陶板浴装置１の内部を観察した図である。図２及び図３では、利用者Ｕによる陶板浴装置１の利用状態の一例が示されている。
【００２４】
陶板浴装置１は、利用者Ｕが後述するカプセル収容部１０の内部空間１０ａにおいて陶板浴を利用することができるカプセル状の装置である。図１に示されているように、陶板浴装置１は、カプセル収容部１０と、カプセル収容部１０を支持する支持台２１と、カプセル収容部１０の外部に固定された補強部材２３及び手すり２５と、を有している。また、図２及び図３に示すように、陶板浴装置１は、カプセル収容部１０の内部空間１０ａに配置された寝台３０と、カプセル収容部１０の内面に設けられた内装材４０と、を有している。さらに、陶板浴装置１は、時間、温度及び湿度等を報知する報知装置５１と、警告を報知する警告報知装置５３と、を有している。
【００２５】
カプセル収容部１０は、長手方向である第１方向ｄ１に延びており、その両方の端部１０ｅが閉鎖された円筒形状を有している。カプセル収容部１０は、長手方向（第１方向ｄ１）が水平方向に平行となるように配置される。カプセル収容部１０は、その内部に内部空間１０ａを有している。また、カプセル収容部１０は、開口１３を有する本体部１１と、開口１３を開閉することができる扉１５と、を有している。さらに、カプセル収容部１０は、第１方向ｄ１の両方の端部１０ｅに設けられた採光部１７を含んでいる。カプセル収容部１０の少なくとも一部、具体的には扉１５及び採光部１７は、採光機能を有している。
【００２６】
本体部１１は、第１方向ｄ１に延び、第１方向ｄ１における両方の端部が開いた円筒形状を有している。本体部１１をなす円筒形状の両方の端部の開口を結ぶ方向が、カプセル収容部１０の第１方向ｄ１に一致している。また、本体部１１は、円筒形状の側面の一部に開口１３を有している。本体部１１は、例えばアルミニウムやプラスチック等で形成されている。本体部１１の第１方向ｄ１に沿った長さは、例えば１８００ｍｍ以上２５００ｍｍ以下であり、本体部１１の直径は、例えば７００ｍｍ以上９００ｍｍ以下である。
【００２７】
開口１３は、利用者Ｕがカプセル収容部１０の内部空間１０ａに出入りするための出入り口となる。開口１３は、例えば本体部１１をなす円筒形状の側面に沿った矩形形状となるよう設けられている。開口１３は、カプセル収容部１０の長手方向（第１方向ｄ１）が水平方向に平行となるように配置された状態で、水平方向に対して傾斜するよう設けられている。言い換えると、開口１３の中心Ｃが、カプセル収容部１０の長手方向（第１方向ｄ１）が水平方向に平行となるように配置された状態で、図３に示す鉛直方向におけるカプセル収容部１０の最上位置Ｔと、鉛直方向におけるカプセル収容部１０の中間位置Ｍと、の間に位置している。ここで、鉛直方向におけるカプセル収容部１０の中間位置Ｍとは、カプセル収容部１０の位置のうち、鉛直方向におけるカプセル収容部１０の最上位置Ｔと最下位置Ｂとの中間となる位置を意味している。また、開口１３の中心Ｃは、例えば本体部１１の側面に沿った矩形形状の対角線の交点として規定することができる。開口１３の寸法は、例えば本体部１１の側面における第１方向ｄ１に沿った長さＬ１が５００ｍｍ以上９００ｍｍ以下であり、本体部１１の側面における第１方向ｄ１に直交する方向に沿った長さ（幅）Ｌ２が４００ｍｍ以上８００ｍｍ以下である。
【００２８】
扉１５は、開口１３を開閉可能に設けられている。扉１５が開口１３を開放することで、利用者Ｕは開口１３を介してカプセル収容部１０の内部空間１０ａに出入りすることができる。また、扉１５が開口１３を閉鎖することで、カプセル収容部１０の内部空間１０ａを外部から区画された空間とすることができる。扉１５は、例えば第１方向ｄ１に移動することで、開口１３を開閉することができる、いわゆるスライド式の扉である。扉１５は、利用者Ｕによって動かされることで、容易に開口１３を開閉することができる。また、扉１５は、例えば透明または有色半透明のポリカーボネート等の材料からなる。このため、扉１５を介してカプセル収容部１０の外部から内部を観察することは困難になっている。一方、扉１５を介してカプセル収容部１０の内部空間１０ａに採光することができる。すなわち、扉１５は、採光機能を有している。また、扉１５の寸法は、開口１３を閉鎖することができるよう、開口１３の寸法と略同一か、開口１３の寸法より大きくなっている。また、扉１５の厚さは、例えば３ｍｍ以上８ｍｍ以下である。
【００２９】
採光部１７は、本体部１１の開いた両方の端部を塞ぐよう、カプセル収容部１０の第１方向ｄ１における両方の端部１０ｅに設けられている。採光部１７は、例えば球面の一部のような形状を有している。採光部１７は、例えばポリエチレンテレフタレート（ＰＥＴ）からなり、表面に白色顔料がシルク印刷によって設けられている。つまり、採光部１７は光拡散機能を有している。このため、採光部１７を介して陶板浴装置１の外部から内部を観察することは困難になっている。一方、採光部１７を介してカプセル収容部１０の内部空間１０ａに光を透過させることができる。すなわち、採光部１７は採光機能を有している。とりわけ、採光部１７は透過光を拡散させて採光する機能を有している。これにより、カプセル収容部１０の内部空間１０ａの広い領域に採光することができる。採光部１７の第１方向ｄ１に沿った長さは、例えば１００ｍｍ以上３００ｍｍ以下であり、採光部１７の厚さは、例えば２ｍｍ以上５ｍｍ以下である。
【００３０】
支持台２１は、円筒形状のカプセル収容部１０を長手方向（第１方向ｄ１）が水平方向に平行になるように、カプセル収容部１０を支持する。支持台２１は、直方体形状からカプセル収容部１０と同様の円筒形状の一部をくり抜いた形状となっている。くり抜いた円筒形状の部分にカプセル収容部１０が嵌め込まれることで、支持台２１は、カプセル収容部１０を支持している。また、支持台２１は、下面、すなわちカプセル収容部１０が嵌め込まれる側とは逆側において、緩衝材２１ａを有している。支持台２１は、例えば木材等からなる。カプセル収容部１０を支持している状態で、支持台２１の第１方向ｄ１に沿った長さは、カプセル収容部１０とほぼ同じであり、例えば１５００ｍｍ以上２０００ｍｍ以下である。
【００３１】
緩衝材２１ａは、支持台２１の下面に配置される。緩衝材２１ａは、支持台２１及び陶板浴装置１を設置することによる設置場所の傷や凹みを低減することができる。緩衝材２１ａは、例えば繊維材、とりわけ縮絨させた繊維材からなる。緩衝材２１ａの寸法は、平面視における支持台２１の寸法以上になっており、例えば第１方向ｄ１に沿った長さが１５００ｍｍ以上２０００ｍｍ以下、第１方向に直交する方向に沿った長さが８００ｍｍ以上１５００ｍｍ以下の矩形である。緩衝材２１ａは、支持台２１と一体化していてもよいし、支持台２１と別体であってもよい。
【００３２】
補強部材２３は、カプセル収容部１０の外部に固定され、第１方向ｄ１に延びている。補強部材２３は、カプセル収容部１０の強度、例えば曲げ強度を増大させることができる。図３に示された例では、補強部材２３は、カプセル収容部１０の外周に接して４本設けられている。補強部材２３は、例えばスチールからなる。補強部材２３は、例えば第１方向ｄ１に沿った長さが１８００ｍｍ以上２５００ｍｍ以下である。
【００３３】
手すり２５は、カプセル収容部１０の外部であって、扉１５の周囲に固定されている。手すり２５は、利用者Ｕが扉１５を開放して開口１３を介してカプセル収容部１０の内部空間１０ａに出入りする際に、利用者Ｕが掴むことで利用者Ｕが容易に出入りすることができる。手すり２５は、例えばステンレスからなる。図１及び図３に示された例では、手すり２５は、補強部材２３から第１方向ｄ１に直交する方向に延び出して、延び出す方向とは非平行な方向に屈曲している。手すり２５の延びている第１方向ｄ１に直交する方向に沿った長さは、例えば６００ｍｍ以上８００ｍｍ以下である。また、図示された例では、第１方向ｄ１における開口１３の両端より外方に、２つの手すり２５が設けられている。第１方向ｄ１に沿った２つの手すり２５の間隔は、例えば７００ｍｍ以上９００ｍｍ以下である。
【００３４】
寝台３０は、利用者Ｕが横たわることができるよう、カプセル収容部１０の内部空間１０ａに配置されている。寝台３０は、水平となっていることが好ましい。図３に示された例において、寝台３０は、鉛直方向におけるカプセル収容部１０の中間位置Ｍより、下方に配置されている。寝台３０は、台座３１と、台座３１上に配置された１枚または複数枚の陶板パネル３５と、台座３１と陶板パネル３５との間に配置された発熱部３３と、を有している。さらに、寝台３０は、利用者Ｕが利用可能な枕３７を有している。寝台３０の寸法は、例えば第１方向ｄ１に沿った長さが１５００ｍｍ以上２０００ｍｍ以下であり、第１方向ｄ１に直交する方向に沿った長さ（幅）が５００ｍｍ以上８００ｍｍ以下である。
【００３５】
台座３１は、発熱部３３及び陶板パネル３５を水平に支持する。台座３１は、カプセル収容部１０の内部空間１０ａの一部に沿った面３１ａと、発熱部３３及び陶板パネル３５を支持する面を形成する平面３１ｂと、を含んでいる。図３に示すように、台座３１の面３１ａはカプセル収容部１０に内接しているため、カプセル収容部１０に対してずれにくくなっている。台座３１は、例えばカプセル収容部１０の内部空間１０ａの一部に沿った面３１ａの側が木材からなり、水平面を形成するための平面３１ｂの側がモルタルからなる。台座３１の高さは、例えば１００ｍｍ以上２００ｍｍ以下である。なお、カプセル収容部１０の内部空間１０ａの一部に沿った面３１ａを適宜に調節することにより、内部空間１０ａの形状が異なるカプセル収容部１０に、容易に台座３１を配置することができる。
【００３６】
発熱部３３は、電圧を印加されることで発熱する。発熱部３３は、寝台３０の全体に亘って配置されていてもよいし、その一部にのみ配置されていてもよい。例えば、発熱部３３は、寝台３０の陶板パネル３５が設けられる位置に重なる位置にのみ配置されていてもよい。発熱部３３の発熱量は、カプセル収容部１０の内部または外部に設けられた温度コントローラによって適宜に設定することが可能であってよい。例えば発熱部３３の温度が１℃以上７０℃以下となるよう発熱させるよう、発熱部３３の発熱量が調節可能であってよい。また、発熱部３３は、発熱することで遠赤外線を発生させる。発熱部３３で発生した熱が利用者Ｕに伝達することで、及び、遠赤外線が利用者Ｕに照射されることで、利用者Ｕの身体を温め、体温を上昇させることができる。発熱部３３の厚さは、例えば０．１ｍｍ以上２ｍｍ以下である。
【００３７】
陶板パネル３５は、発熱部３３からの熱によって温められると、遠赤外線を発生させる。陶板パネル３５で発生した遠赤外線が利用者Ｕに照射されることで、利用者Ｕの身体を温め、体温を上昇させることができる。また、陶板パネル３５は、複数の陶板タイル３５ａを有している。陶板タイル３５ａは、抗酸化剤を含んでいる。陶板タイル３５ａが抗酸化剤を含むことで、陶板パネル３５に接する利用者Ｕの体内における活性酸素を減少させ、免疫力を向上させることができると考えられている。
【００３８】
図４に、寝台３０の平面図が示されている。図示された例では、寝台３０は、２枚の陶板パネル３５を有している。図４に示す例では、各陶板パネル３５は、３枚の陶板タイル３５ａと、隣り合う陶板パネル３５を接続する接続具３５ｂと、を有している。また、陶板パネル３５のうち陶板タイル３５ａが配置されていない部分がある場合、その部分は、例えば抗酸化剤を含まない通常のセラミックス製のタイルであってよい。陶板タイル３５ａは、例えば平面視において１辺の長さが２５０ｍｍ以上３００ｍｍ以下の正方形形状であり、陶板タイル３５ａの厚さは、例えば８ｍｍ以上１５ｍｍ以下である。図示された例では、平面視において、３枚の陶板タイル３５ａが一列に並んで配置されているが、これに限らず、複数の陶板タイル３５ａが複数の列に並んで配置されていてもよい。例えば２枚の陶板タイル３５ａが並んだ列が２列あるように、４枚の陶板タイル３５ａが配置されていてもよい。
【００３９】
図５に示すように、陶板パネル３５の端面には、凹部３５ｒが形成されている。接続具３５ｂが隣り合う２つの陶板パネル３５の凹部３５ｒに配置されることで、隣り合う２つの陶板パネル３５がずれることを防止することができる。すなわち、図５に示す例では、接続具３５ｂは、いわゆるダボである。このような接続具３５ｂは、例えば長さ３０ｍｍ以上５０ｍｍ以下、直径１０ｍｍ以上１５ｍｍ以下の円柱形状を有する。また、接続具３５ｂは、例えば木材で形成されている。凹部３５ｒの深さは、接続具３５ｂの長さの半分程度となっている。
【００４０】
各陶板タイル３５ａは、陶板パネル３５から取り外し可能となっている。とりわけ、各陶板タイル３５ａの間の目地幅が、例えば８ｍｍ以上１２ｍｍ以下となっているため、陶板タイル３５ａを陶板パネル３５から容易に取り外すことができる。この例では、陶板タイル３５ａを取り外すことで、陶板パネル３５を台座３１上から取り除くことができる。個々の陶板タイル３５ａまたは陶板パネル３５の全体を取り外すことで、各陶板タイル３５ａ、陶板パネル３５及び発熱部３３のメンテナンスを容易に行うことができる。
【００４１】
枕３７は、利用者Ｕの頭部を支持する。枕３７は、杉の無垢材によって形成されていることが好ましい。枕３７が杉の無垢材であると、枕３７の香りによって利用者Ｕをリラックスさせることができる。
【００４２】
内装材４０は、カプセル収容部１０の内部空間１０ａ、より詳しくはカプセル収容部１０の内面に、取り外し可能に設けられている。図３に示された例において、内装材４０は、表面に設けられた表面シート４１と、表面シート４１に積層された機能シート４５と、を含んでいる。内装材４０は、カプセル収容部１０の本体部１１の内面の全体に亘って設けられていることが好ましい。すなわち、内装材４０は、カプセル収容部１０の内面のうち、開口１３、扉１５及び採光部１７以外に設けられていることが好ましい。内装材４０によって、カプセル収容部１０の内部空間１０ａを陶板浴に適した環境にすることができる。
【００４３】
表面シート４１は、内装材４０の表面（最外面）を形成し、内装材４０の他のシートを保護する。表面シート４１は、水分を吸収しにくい素材、例えば合皮からなることが好ましい。このような表面シート４１によれば、カプセル収容部１０の内部空間１０ａの湿度を一定に保ちやすくすることができる。したがって、カプセル収容部１０の内部空間１０ａを陶板浴に適した湿度に保ちやすくすることができる。
【００４４】
機能シート４５は、種々の機能が付与されることができる。一例として、機能シート４５は、抗酸化剤を含む不織布からなる。機能シート４５が抗酸化剤を含むことで、カプセル収容部１０の内部空間１０ａにおける空気から健康被害を及ぼし得る化学物質を低減することができると考えられている。
【００４５】
報知装置５１は、カプセル収容部１０の内部空間１０ａにおいて利用者Ｕに時間、温度及び湿度等を報知する。報知装置５１によって報知される時間は、例えば陶板浴装置１の利用時間である。また、報知装置５１によって報知される温度及び湿度は、カプセル収容部１０の内部空間１０ａの温度及び湿度である。報知装置５１は、例えば陶板浴装置１の利用時間や内部空間１０ａの温度及び湿度を表示する表示装置であってもよいし、音によって利用時間や温度及び湿度を報知する装置であってもよい。報知装置５１によって陶板浴装置１の利用時間を報知することで、利用者Ｕが長時間にわたって陶板浴を利用することを防止することができる。また、報知装置５１によって内部空間１０ａの温度及び湿度を報知することで、利用者Ｕは、適切な環境で陶板浴を利用していることを確認することができる。
【００４６】
警告報知装置５３は、カプセル収容部１０の内部から外部に警告を報知する。警告報知装置５３は、カプセル収容部１０の外部に設けられた警告報知部５３ａと、カプセル収容部１０の内部空間１０ａに設けられた作動部５３ｂと、を有する。利用者Ｕが作動部５３ｂを操作することで、警告報知部５３ａを作動させることができる。警告報知部５３ａは、例えば警告音を発するアラームであってもよいし、警告光を発するライトであってもよい。作動部５３ｂは、例えばボタンであってよい。
【００４７】
ところで、従来、陶板浴は、施設等に設けられた専用の部屋で行われていた。上述したように、陶板浴のための専用の部屋を設けることは簡易でなく、また、専用の部屋では陶板浴を複数人が同時に利用することができるため、各利用者のプライバシーの点で問題がある。
【００４８】
一方、本実施の形態の陶板浴装置１では、利用者Ｕは、カプセル収容部１０の内部空間１０ａにおいて、陶板浴を利用することができる。したがって、専用の部屋を設けなくとも、陶板浴装置１を設置することによって、陶板浴を利用することができる。すなわち、専用の部屋を設けるコストやスペースの確保なしに、言い換えると低コストかつ省スペースで、陶板浴を簡易に利用することができる。また、カプセル収容部１０の外部から内部を観察しにくくなっている。このため、利用者Ｕが陶板浴装置１を利用していることを外部からは観察されにくく、陶板浴装置１の利用者Ｕのプライバシーを保護することができる。
【００４９】
次に、利用者Ｕによる陶板浴装置１の利用の一例について説明する。
【００５０】
まず、利用者Ｕは、図示しない温度コントローラを操作することで、発熱部３３の発熱量を設定する。発熱部３３が発熱することで、陶板パネル３５が温められ、発熱部３３及び陶板パネル３５から遠赤外線が発生する。なお、台座３１の水平面を形成するための平面３１ｂの側、すなわち発熱部３３の側がモルタルからなっている。モルタルは熱伝導率が高いため、台座３１を介して寝台３０の全体に熱が均一に伝わりやすい。このため、陶板パネル３５に発熱むらが生じにくくなっている。
【００５１】
次に、利用者Ｕは、カプセル収容部１０の扉１５を開放し、開口１３を介してカプセル収容部１０の内部空間１０ａに入る。利用者Ｕは、扉１５の周囲に固定されている手すり２５を掴むことで、内部空間１０ａに容易に入ることができる。また、開口１３の中心Ｃがカプセル収容部１０の最上位置Ｔと中間位置Ｍとの間に位置するため、利用者Ｕは、内部空間１０ａにより容易に入ることができる。
【００５２】
内部空間１０ａに入った利用者Ｕは、扉１５を閉鎖する。扉１５を閉鎖することで、カプセル収容部１０の内部空間１０ａを外部から区画された空間とすることができ、内部空間１０ａを所定の環境にしやすくできる。また、可視光透過率が低い扉１５を閉鎖することで、カプセル収容部１０の外部から内部を観察しにくくすることができる。
【００５３】
扉１５及び採光部１７が採光機能を有しているため、内部空間１０ａに十分な明るさを確保することができる。このため、利用者Ｕは、目視で、内部空間１０ａに設けられた各部材を確認することができる。次に、利用者Ｕは、報知装置５１に利用時間を設定する。その後、図２及び図３に示すように、利用者Ｕは、枕３７上に頭部を載せ、寝台３０に横たわる。利用者Ｕが寝台に横たわることで、陶板パネル３５の各陶板タイル３５ａに接する。すなわち、利用者Ｕは、陶板浴の利用を開始する。
【００５４】
各陶板パネル３５は、接続具３５ｂによって隣り合う陶板パネル３５と接続されている。このため、利用者Ｕが陶板パネル３５上で身動きしたとしても、陶板パネル３５がずれてしまうことが防止されている。
【００５５】
利用者Ｕが内部空間１０ａにいることによって、内部空間１０ａの湿度が変化し得る。しかしながら、内装材４０が有する表面シート４１等によって、陶板浴に適した湿度に保ちやすくなっている。
【００５６】
報知装置５１に設定した利用時間が経過すると、報知装置５１がその旨を報知する。利用時間が経過したことを報知された利用者Ｕは、寝台３０から起き上がり、陶板浴の利用を終了する。利用者Ｕは、扉１５を開放し、開口１３を介して内部空間１０ａから出る。利用者Ｕは、扉１５の周囲に固定されている手すり２５を掴むことで、内部空間１０ａから容易に出ることができる。また、開口１３の中心Ｃがカプセル収容部１０の最上位置Ｔと中間位置Ｍとの間に位置するため、利用者Ｕは、内部空間１０ａからより容易に出ることができる。
【００５７】
カプセル収容部１０の内部空間１０ａから出た利用者Ｕは、温度コントローラを操作し、発熱部３３の発熱を終了させる。なお、温度コントローラによって、予め発熱部３３が発熱する時間を決定しておき、陶板浴の利用時間が経過した際に、発熱部３３の発熱が自動で終了するようにしてもよい。以上のようにして、陶板浴装置１によって、利用者Ｕは、陶板浴を利用することができる。
【００５８】
なお、陶板浴を利用している間に、利用者Ｕに体調不良等が生じた場合、自発的に利用を中止してもよい。利用者Ｕが自ら陶板浴の利用を中止できない場合、内部空間１０ａに設けられた警告報知装置５３の作動部５３ｂを操作する。作動部５３ｂが操作されると、カプセル収容部１０の外部に設けられた警告報知部５３ａが作動し、利用者Ｕに体調不良等が生じていることを外部に報知することができる。
【００５９】
以上のように、本実施の形態の陶板浴装置１は、内部空間１０ａを有するカプセル収容部１０と、内部空間１０ａに配置された寝台３０と、を備え、寝台３０は、台座３１と、台座３１上に配置された陶板パネル３５と、台座３１と陶板パネル３５との間に配置された発熱部３３と、を有する。このような陶板浴装置１によれば、専用の部屋を設けるコストやスペースの確保なしに、陶板浴を簡易に利用することができる。また、カプセル収容部１０の内部空間１０ａにおいて陶板浴を利用することができるため、利用者のプライバシーを保護することができる。
【００６０】
本考案の態様は、上述した実施の形態に限定されるものではなく、当業者が想到しうる種々の変形も含むものであり、本考案の効果も上述した内容に限定されない。すなわち、実用新案登録請求の範囲に規定された内容およびその均等物から導き出される本考案の概念的な思想と趣旨を逸脱しない範囲で種々の追加、変更および部分的削除が可能である。
【符号の説明】
【００６１】
１    陶板浴装置
１０    カプセル収容部
１０ａ  内部空間
１０ｅ  端部
１１    本体部
１３    開口
１５    扉
１７    採光部
２１    支持台
２１ａ  緩衝材
２３    補強部材
２５    手すり
３０    寝台
３１    台座
３３    発熱部
３５    陶板パネル
３５ａ  陶板タイル
３５ｂ  接続具
３５ｒ  凹部
３７    枕
４０    内装材
４１    表面シート
４５    機能シート
５１    報知装置
５３    警告報知装置
５３ａ  警告報知部
５３ｂ  作動部
Ｕ    利用者
【図１】
0003217506.tif 000003
【図２】
0003217506.tif 000004
【図３】
0003217506.tif 000005
【図４】
0003217506.tif 000006
【図５】
0003217506.tif 000007